(57)【要約】【課題】巻線の品質を保ちつつ、輸送用のタンクを用いることなく巻線の輸送を可能とする巻線輸送用器具を提供するものである。【解決手段】実施形態の巻線輸送用器具は、防湿フィルムで覆われた巻線の上下に配置され、前記巻線を挟持する一対の締付板と、前記巻線と前記締付板との間に配置され、前記巻線に対して軸方向に加圧する締付装置と、前記一対の締付板を連結し、前記巻線の周囲に配置されるロッドと、前記防湿フィルムを貫通して、一端が前記防湿フィルムの外部に位置するとともに、他端が前記防湿フィルムと前記巻線との間に位置し、前記防湿フィルム外部の乾燥空気を前記防湿フィルム内部へ導入させる第１導入配管と、前記防湿フィルムを貫通して、一端が前記防湿フィルムの外部に位置するとともに、他端が前記防湿フィルムと前記巻線との間に位置し、前記防湿フィルム内部の乾燥空気を前記防湿フィルム外部へ排出させる吐出配管とを有する。【選択図】図１
2015023260.tif 000002
【特許請求の範囲】
【請求項１】
防湿フィルムで覆われた巻線の上下に配置され、前記巻線を挟持する一対の締付板と、
前記巻線と前記締付板との間に配置され、前記巻線に対して軸方向に加圧する締付装置と、
前記一対の締付板を連結し、前記巻線の周囲に配置されるロッドと、
前記防湿フィルムを貫通して、一端が前記防湿フィルムの外部に位置するとともに、他端が前記防湿フィルムと前記巻線との間に位置し、前記防湿フィルム外部の乾燥空気を前記防湿フィルム内部へ導入させる第１導入配管と、
前記防湿フィルムを貫通して、一端が前記防湿フィルムの外部に位置するとともに、他端が前記防湿フィルムと前記巻線との間に位置し、前記防湿フィルム内部の乾燥空気を前記防湿フィルム外部へ排出させる吐出配管と
を有する巻線輸送用器具。
【請求項２】
前記第１導入配管の前記一端に接続され、前記第１導入配管を介して前記防湿フィルム内に乾燥空気を送り込む乾燥空気発生装置をさらに有する請求項１に記載の巻線輸送用器具。
【請求項３】
前記防湿フィルムを貫通して、一端が前記防湿フィルムの外部に位置するとともに、他端が前記防湿フィルムと前記巻線との間に位置し、前記防湿フィルムの外部の乾燥空気を前記防湿フィルムの内部へ導入させる第２導入配管と
前記第２導入配管の前記一端に接続され、開閉可能な電磁弁を備え、前記電磁弁が開かれることで前記第２導入配管を介して前記防湿フィルム内に乾燥空気を送り込む乾燥空気ボンベをさらに有する請求項１または請求項２に記載の巻線輸送用器具。
【請求項４】
前記乾燥空気発生装置から前記防湿フィルム内に送り込まれる乾燥空気の露点あるいは、前記防湿フィルム内の湿度が閾値以上である場合に、前記乾燥空気ボンベの前記電磁弁を開く制御信号を出力する制御装置をさらに有する請求項３に記載の巻線輸送用器具。
【発明の詳細な説明】
【技術分野】
【０００１】
本発明の実施形態は、巻線輸送用器具に関する。
【背景技術】
【０００２】
電力需要の増大が著しい昨今、変圧器やリアクトルなどの静止誘導電器は大容量化、大形化、重量増大化する傾向にある。
【０００３】
一方、静止誘導電器が設置される変電所は、山間地や都心部地下などの輸送条件が厳しい場所に建設されることも多く、このような場所に設置する静止誘導電器においては、その輸送の際の寸法と重量を低減することが必要になってくる。このような場合、鉄心、巻線等に静止誘導電器を分解して輸送する分解輸送形変圧器等が適用されてきた。
【０００４】
また、静止誘導電器の巻線のみを交換する場合や、巻線等の部品を別々の工場で製作し主工場で組み立てて試験を行い静止誘導電器として完成品とする場合等では、巻線単体を輸送する必要がある。
【先行技術文献】
【特許文献】
【０００５】
【特許文献１】特開２００９−４９２７６号公報
【発明の概要】
【発明が解決しようとする課題】
【０００６】
その際、巻線は輸送用のタンク内に収納されて輸送されるが、絶縁紙等の吸湿を防ぐためにタンク内に乾燥空気を加圧して封入する必要がある。
【０００７】
そのため、輸送用のタンクは乾燥空気の加圧に対する強度を確保するために強固な構造とする必要があり、補強構造体などを設けることで重量が大きくなってしまう。
【０００８】
また、タンク内に封入した乾燥空気の漏れ試験を行う必要がある。
【０００９】
以上の理由によりコストが高くなり、出荷準備期間が増大してしまう。
【００１０】
そこで、本発明の実施形態はこれらの課題を解決するために、巻線の品質を保ちつつ、輸送用のタンクを用いることなく巻線の輸送を可能とする巻線輸送用器具を提供するものである。
【課題を解決するための手段】
【００１１】
上記課題を達成するために、実施形態の巻線輸送用器具は、防湿フィルムで覆われた巻線の上下に配置され、前記巻線を挟持する一対の締付板と、前記巻線と前記締付板との間に配置され、前記巻線に対して軸方向に加圧する締付装置と、前記一対の締付板を連結し、前記巻線の周囲に配置されるロッドと、前記防湿フィルムを貫通して、一端が前記防湿フィルムの外部に位置するとともに、他端が前記防湿フィルムと前記巻線との間に位置し、前記防湿フィルム外部の乾燥空気を前記防湿フィルム内部へ導入させる第１導入配管と、前記防湿フィルムを貫通して、一端が前記防湿フィルムの外部に位置するとともに、他端が前記防湿フィルムと前記巻線との間に位置し、前記防湿フィルム内部の乾燥空気を前記防湿フィルム外部へ排出させる吐出配管とを有する。
【図面の簡単な説明】
【００１２】
【図１】本実施形態に係る巻線輸送器具の構成を示す説明図。
【図２】本実施形態に係る巻線輸送器具の巻線周辺の構成を示す説明図。
【図３】本実施形態に係る巻線輸送器具の制御部の構成を示すブロック図。
【図４】本実施形態に係る巻線輸送器具による輸送形態を示す一例。
【図５】本実施形態に係る巻線輸送器具の制御部の動作を示すフローチャート。
【発明を実施するための形態】
【００１３】
以下、実施形態について図面を用いて説明する。
【００１４】
（実施形態）
図１は本実施形態に係る巻線輸送器具の構成を示す説明図、図２は本実施形態に係る巻線輸送器具の巻線周辺の構成を示す説明図である。
【００１５】
本実施形態の巻線輸送器具は、防湿フィルム２、第１締付板３、第２締付板４、腰下５、ロッド７、締付装置８、第１導入配管９、乾燥空気発生装置１０、第２導入配管１１、乾燥空気ボンベ１２、吐出配管１３、温湿度センサ１４、制御装置１００を有する。
【００１６】
図２に示すように、巻線１は防湿フィルム２で覆われ、熱融着や粘着テープ等により防湿フィルム２は密閉される。防湿フィルム２で覆われた巻線１は、一対の締付板３，４により挟持される。
【００１７】
具体的には、防湿フィルム２で覆われた巻線１は、第１締付板３上に腰下５を介して配置され、巻線１の上部に第２締付板４が配置される。締付板３，４に設けられた溝６にはロッド７が取り付けられ、ロッド７により締付板３，４が連結される。ロッド７を介して連結された締付板３，４は、ロッド７に通されたナット等により、巻線１を締め付けるように固定される。
【００１８】
巻線１と第２締付板４との間には、締付装置８が配置される。締付装置８は、図示しない油圧ポンプにより巻線１を軸方向に加圧する装置、手段である。加圧後、締付装置８と図示しない油圧ポンプとの間に設けられた油圧弁を閉じてから締付装置８と図示しない油圧ポンプとが切り離されることで、締付装置８による巻線１への加圧状態が継続される。
【００１９】
第１導入配管９は、防湿フィルム２を貫通し、一端が防湿フィルム２の外部に位置するとともに、他端が防湿フィルム２と巻線１との間に位置するように配置される。
【００２０】
第１導入配管９の一端には乾燥空気発生装置１０が接続される。乾燥空気発生装置１０は第１導入配管９を介して防湿フィルム２内に乾燥空気を送り込む装置、手段である。
【００２１】
第２導入配管１１は、防湿フィルム２を貫通し、一端が防湿フィルム２の外部に位置するとともに、他端が防湿フィルム２と巻線１との間に位置するように配置される。
【００２２】
第２導入配管１１の一端には、開閉可能な電磁弁１２ａを備える乾燥空気ボンベ１２が接続される。乾燥空気ボンベ１２は、電磁弁１２ａが開かれることで第２導入配管１１を介して防湿フィルム２内に乾燥空気を送り込む装置、手段である。
【００２３】
吐出配管１３は、防湿フィルム２を貫通し、一端が防湿フィルム２の外部に位置するとともに、他端が防湿フィルム２と巻線１との間に位置するように配置される。吐出配管１３は、乾燥空気発生装置１０あるいは乾燥空気ボンベ１２により防湿フィルム２内に送り込まれた乾燥空気を防湿フィルム２外部へ排出させる。
【００２４】
温湿度センサ１４は、防湿フィルム２と巻線１との間に配置され、防湿フィルム２内の温度および湿度を検出するセンサである。
【００２５】
制御装置１００は、温湿度記録部１０１、露点検出部１０２、制御部１０３、情報出力部１０４を有する。
【００２６】
温湿度記録部１０１は、温湿度センサ１４によって検出された湿度に対応する信号（湿度信号）を湿度信号伝送部２０を介して取得し、湿度信号に対応する湿度を記録する装置、手段であり、例えば温湿度記録計である。
【００２７】
露点検出部１０２は、検出用配管２１を介して乾燥空気発生装置１０が防湿フィルム２内に送り込む乾燥空気を取得し、その乾燥空気の露点（露点温度）を検出、記録する装置、手段であり、例えば露点計である。具体的には、静電容量式露点計、冷却式露点計、塩化リチウム露点計などが挙げられる。
【００２８】
図３は、本実施形態に係る巻線輸送器具の制御部の構成を示すブロック図である。
【００２９】
制御部１０３は、図３に示すように温湿度情報取得部２０１、露点情報取得部２０２、閾値判定部２０３、制御信号出力部２０４を有する。
【００３０】
温湿度情報取得部２０１は、温湿度センサ１４によって検出された湿度に対応する湿度信号を温湿度記録部１０１から取得する機能を行う処理部である。
【００３１】
露点情報取得部２０２は、露点検出部１０２により検出された露点に対応する信号（露点信号）を露点検出部１０２から取得する機能を行う処理部である。
【００３２】
閾値判定部２０３は、温湿度情報取得部２０１によって取得された湿度信号と、露点情報取得部２０２によって取得された露点信号とのうち、少なくとも一方を取得する機能を行う処理部である。また、取得した湿度信号に対応する湿度あるいは、露点信号に対応する露点が閾値以上であるか否かを判定する機能を行う処理部である。
【００３３】
具体的には、湿度の閾値をＡ、露点の閾値をＢとすると以下の数式（１）あるいは数式（２）を満たすか否かが判定される。閾値ＡおよびＢは任意に設定可能である。
【００３４】
湿度≧Ａ            （１）
露点≧Ｂ            （２）
制御信号出力部２０４は、閾値判定部２０３により、湿度信号に対応する湿度あるいは、露点信号に対応する露点が閾値以上と判定された場合に、制御信号伝送路２２を介して乾燥空気ボンベ１２の電磁弁１２ａを開く制御信号を出力する機能を行う処理部である。
【００３５】
情報出力部１０４は、制御部１０３に接続され、巻線１を輸送中の温度、湿度、露点および時刻を紙媒体として出力する装置、手段であり、例えばプリンタである。
【００３６】
このように構成された本実施形態に係る巻線輸送用器具は、図４に示すようにトラック等の輸送手段３０に積載されて静止誘導電機が設置される現地まで輸送される。
【００３７】
次に制御部１０３の動作について、図５を用いて説明する。図５は本実施形態に係る巻線輸送器具の制御部の動作を示すフローチャートである。
【００３８】
温湿度情報取得部２０１は、温湿度センサ１４によって検出された湿度に対応する湿度信号を温湿度記録部１０１から取得する（ステップＳ３０１）。
【００３９】
露点情報取得部２０２は、露点検出部１０２により検出された露点に対応する露点信号を露点検出部１０２から取得する（ステップＳ３０２）。
【００４０】
閾値判定部２０３は、温湿度情報取得部２０１によって取得された湿度信号と、露点情報取得部２０２によって取得された露点信号とのうち、少なくとも一方を取得し、取得した湿度信号に対応する湿度あるいは、露点信号に対応する露点が閾値以上であるか否かを判定する（ステップＳ３０３）。
【００４１】
制御信号出力部２０４は、閾値判定部２０３により、湿度信号に対応する湿度あるいは、露点信号に対応する露点が閾値以上と判定された場合（ステップＳ３０３  ＹＥＳ）に、制御信号伝送路２２を介して乾燥空気ボンベ１２の電磁弁１２ａを開く制御信号を出力する（ステップＳ３０４）。
【００４２】
以上説明した本実施形態に係る巻線輸送器具によれば、輸送用のタンクを用いることなく巻線の輸送を行うことが可能となる。
【００４３】
巻線１は、吸湿フィルム２に覆われ、一対の締付板３，４で挟持される構成のため、輸送用のタンクに比べて容易に分解が可能であり、部品点数も少ないことから重量の低減およびコスト削減に貢献できる。
【００４４】
また、巻線１は締付板３，４および締付装置８によって軸方向に加圧されるため、巻線１の形状を崩すことなく輸送することができる。
【００４５】
巻線１は防湿フィルム２に覆われるため、絶縁紙等の吸湿を防ぐことができ、巻線１の品質も保たれる。
【００４６】
そのことに加えて、乾燥空気発生装置１０により防湿フィルム２内に乾燥空気が送り込まれることで、より巻線１の絶縁紙等の吸湿を防止することができる。防湿フィルム２内に送り込まれた乾燥空気は、吐出配管１３により防湿フィルム２外部へ排出されるため、乾燥空気が防湿フィルム２内に溜まり防湿フィルム２が破れることもない。
【００４７】
上述のように乾燥空気発生装置１０により送り込まれた乾燥空気は、防湿フィルム２内を吹き流されるため、従来の輸送用タンクのように漏れ試験等を行う必要もなく出荷準備期間を短縮することができる。
【００４８】
また、乾燥空気発生装置１０の故障等により、防湿フィルム２内の湿度が上昇した場合や乾燥空気発生装置１０から送り込まれる空気の露点が上昇した場合に、制御信号出力部２０４が乾燥空気ボンベ１２の電磁弁１２ａを開く制御信号を出力することで乾燥空気ボンベ１２から継続して防湿フィルム２内に乾燥空気を送り込むことが可能となる。すなわち、たとえ乾燥空気発生装置１０が故障した場合でも乾燥空気ボンベ１２から継続して防湿フィルム２内に乾燥空気を送り込むことで、巻線１の絶縁紙等の吸湿を防ぐことができる。
【００４９】
なお、制御部１０３は温湿度センサ１４によって検出された防湿フィルム２内の温度が外気温に近づいた場合に、制御信号伝送路２２を介して乾燥空気ボンベ１２の電磁弁１２ａを開く制御信号を出力する機能を有していてもよい。
【００５０】
本実施形態は、例として提示したものであり、発明の範囲を限定することは意図していない。本実施形態は、その他の様々な形態で実施されることが可能であり、発明の要旨を逸脱しない範囲で、種々の省略、置き換え、変更を行うことができる。本実施形態やその変形は、発明の範囲や要旨に含まれると同様に、特許請求の範囲に記載された発明とその均等の範囲に含まれる。
【符号の説明】
【００５１】
１…巻線
２…防湿フィルム
３…第１締付板
４…第２締付板
５…腰下
６…溝
７…ロッド
８…締付装置
９…第１導入配管
１０…乾燥空気発生装置
１１…第２導入配管
１２…乾燥空気ボンベ
１３…吐出配管
１４…温湿度センサ
２０…湿度信号伝送部
２１…検出用配管
２２…制御信号伝送路
３０…輸送手段
１００…制御装置
１０１…温湿度記録部
１０２…露点検出部
１０３…制御部
１０４…情報出力部
２０１…温湿度情報取得部
２０２…露点情報取得部
２０３…閾値判定部
２０４…制御信号出力部
【図１】
2015023260.tif 000003
【図２】
2015023260.tif 000004
【図３】
2015023260.tif 000005
【図４】
2015023260.tif 000006
【図５】
2015023260.tif 000007